(57)【要約】【課題】収納容器内の貯蔵物を収納容器内の内底面側からも冷気で冷却でき、かつ収納容器の内底面に結露が発生しても収納容器内の貯蔵物に結露が直接に接触することを防止できる冷蔵庫を提供することを課題とする。【解決手段】冷蔵庫１は、貯蔵室としての冷蔵室４と、冷蔵室４に設けられた収納容器としてのチルドケース１０とを備える。チルドケース１０の収納空間底側Ｖには、上端部２１が非平面である突起部２０が配列されている。【選択図】図４
2019211155.tif 000002
【特許請求の範囲】
【請求項１】
貯蔵室と、
前記貯蔵室内に設けられた収納容器と
を備え、
前記収納容器の収納空間底側には、上端部が非平面である突起部が配列されている冷蔵庫。
【請求項２】
前記突起部が四角錐状である請求項１に記載の冷蔵庫。
【請求項３】
前記突起部が三角錐状である請求項１に記載の冷蔵庫。
【請求項４】
前記突起部が多角錐状である請求項１に記載の冷蔵庫。
【請求項５】
前記突起部が円錐状である請求項１に記載の冷蔵庫。
【請求項６】
前記突起部がリブ状である請求項１に記載の冷蔵庫。
【請求項７】
前記突起部の少なくとも上部が湾曲凸状である請求項１に記載の冷蔵庫。
【請求項８】
前記収納容器がチルドケースであり、
前記貯蔵室の後側には、前記チルドケース内を照らす照明部が設けられている請求項１に記載の冷蔵庫。
【請求項９】
前記貯蔵室の後側には、前記チルドケース内に冷気を送るダクトが設けられている請求項８に記載の冷蔵庫。
【請求項１０】
前記チルドケースの背面部が、前記照明部からの光と前記ダクトからの冷気とを直接にチルドケース内に導入するための凹部を有する請求項９に記載の冷蔵庫。
【請求項１１】
前記収納容器の内底面上に金属プレートが配置されており、前記金属プレートの上面側に前記突起部が設けられている請求項１〜１０のいずれか１項に記載の冷蔵庫。
【発明の詳細な説明】
【技術分野】
【０００１】
本発明の実施の形態は、冷蔵庫に関する。
【背景技術】
【０００２】
冷蔵庫は、一般に、食品等の貯蔵物を収納するチルドケースのような収納容器を冷蔵室内に有している。
【０００３】
この収納容器の内底面はフラットな面で構成されており、貯蔵物は、このフラットな内底面上に面接触した状態で置かれる（特許文献１参照）。
【先行技術文献】
【特許文献】
【０００４】
【特許文献１】特開２００７−４６８４８号
【発明の概要】
【発明が解決しようとする課題】
【０００５】
ところが、従来のこのような収納容器では、通常、貯蔵物が、フラットな内底面上に面接触した状態で置かれることが多く、この場合、内底面と貯蔵物の下面との間には隙間がない。
【０００６】
このため、貯蔵物の下面には冷気が流れなくて貯蔵物を十分に冷却できず、この結果、貯蔵物の冷却速度が遅い。また、収納容器内に結露が発生すると、結露が貯蔵物の下面に直接に接触する。
【０００７】
本発明は、上記に鑑みてなされたものであり、収納容器内の貯蔵物を収納容器内の内底面側からも冷気で冷却でき、かつ収納容器の内底面に結露が発生しても収納容器内の貯蔵物に結露が直接に接触することを防止できる冷蔵庫を提供することを課題とする。
【課題を解決するための手段】
【０００８】
本発明の実施の形態の冷蔵庫は、貯蔵室と、前記貯蔵室内に設けられた収納容器とを備え、前記収納容器の収納空間底側には、上端部が非平面である突起部が配列されている。
【図面の簡単な説明】
【０００９】
【図１】実施形態で、冷蔵庫の内部構造例を示す模式的な正面部分断面図である。
【図２】実施形態で、冷蔵庫のチルド室とその付近の構造例を示す側面部分断面図である。
【図３】実施形態で、冷蔵庫のチルド室とその付近の構造例を示す斜視図である。
【図４】実施形態で、冷蔵庫のチルドケースの形状例を示す斜視図である。
【図５】実施形態で、冷蔵庫の突起部の形状例を示す斜視図である。
【図６】（Ａ）は図４に示すチルドケースのＰ−Ｐ線における側面断面図、（Ｂ）は（Ａ）の要部を説明する部分拡大図である。
【図７】（Ａ）〜（Ｃ）は、何れも、実施形態で、冷蔵庫の突起部の他の形状例を示す斜視図である。
【図８】（Ａ）、（Ｂ）は、何れも、実施形態で、冷蔵庫の突起部の他の形状例を示す斜視図である。
【図９】実施形態で、冷蔵庫の突起部の他の形状例を示す斜視図である。
【図１０】実施形態で、冷蔵庫の突起部の他の形状例を示す斜視図である。
【図１１】比較例で、冷蔵庫のチルドケースを示す斜視図である。
【図１２】（Ａ）は図１１に示すチルドケースのＱ−Ｑ線における側面断面図、（Ｂ）は（Ａ）の要部を説明する部分拡大図である。
【発明を実施するための形態】
【００１０】
以下、図面を用いて、実施するための形態（以下、実施形態と称する）を説明する。図１は、実施形態の内部構造例を示す模式的な正面部分断面図である。
【００１１】
（冷蔵庫１の全体構成）
図１に示す冷蔵庫１は、本体２を有している。この本体２は、断熱性を有するキャビネットを備えている。そして本体２の内部には、複数の貯蔵室が形成されている。本体２の上部には、貯蔵室としての冷凍室３が設けられ、この冷凍室３の下部には、貯蔵室としての冷蔵室４が設けられている。なお、図面において、Ｘ方向は、冷蔵庫１の全幅方向であり、Ｙ方向は、冷蔵庫１の奥行方向であり、Ｚ方向は、冷蔵庫１の上下方向（縦方向）である。
【００１２】
本体２の前面側には、冷凍室用の扉５と冷蔵室用の扉６とが設けられている。扉５は、図示しないヒンジを介して本体２に取り付けられ、冷凍室３の前面側開口部を開閉する。扉６は、図示しないヒンジを介して本体２に取り付けられ、冷蔵室４の前面側開口部を開閉する。冷凍室３内には、例えば複数の棚板が配置されている。冷蔵室４内には、チルド室７と、複数の棚板と、野菜室とが配置されている。冷蔵庫１の構造例では、チルド室７は、冷蔵室４内の上部に配置され、野菜室は、冷蔵室４内の下部に配置されている。
【００１３】
冷凍室３は、冷凍温度帯の貯蔵室であり、例えば約−２０℃前後の温度に調整される。冷蔵室４は、冷蔵温度帯の貯蔵室であり、例えば約３℃から５℃の温度に調整される。本体２の冷凍室３の背部には、冷凍室３を冷却するための冷凍用冷却器が配置されている。また、本体２の冷蔵室４の背部には、冷蔵室４を冷却するための冷蔵用冷却器が配置されている。これらの冷凍用冷却器と冷蔵用冷却器とは、冷蔵庫の機械室に配置された圧縮機等とともに、冷蔵庫の冷凍サイクルを構成している。
【００１４】
（チルド室７の構成）
図２は、チルド室７とその付近の構造例を示す正面部分断面図である。図３は、チルド室７とその付近の構造例を示す斜視図である。図４は、チルド室７内に配置されたチルドケース１０の形状例を示す斜視図である。チルド室７は、例えば−１℃から＋１℃の範囲の低温度帯で貯蔵物を貯蔵する。
【００１５】
図１に示すように、チルド室７は、チルド照明７Ｔ（照明部）と、チルドダクト７Ｄと、チルドケース１０と、温度センサＴＳ（図２を参照）とを有している。チルド照明７Ｔは、チルド室７のチルドケース１０内を照明するための照明部である。チルド照明７Ｔは、例えばＬＥＤ（発光ダイオード）ランプを有する。チルドダクト７Ｄは、例えば発泡スチロールで作られた冷気通路から、チルド用の冷気をチルドケース１０内へ送るための冷気供給管である。温度センサＴＳは、冷蔵室４内の温度を検出して、図示しない制御部に温度信号を送る。
【００１６】
図３と図４に示すチルドケース１０は、ハムや肉類やヨーグルトのような食品等の貯蔵物を収納してチルドするための収納容器の一例である。チルドケース１０は、内部に収納された貯蔵物が見え易いようにするために、例えば透明あるいは半透明のプラスチック製の容器にされている。チルドケース１０は、底面部１１と、左右の側面部１２，１３と、背面部１４とを有する。チルドケース１０の底面部１１は、冷蔵庫１の水平面（ＸＹ平面）に沿って配置されている。
【００１７】
チルドケース１０の左右の側面部１２，１３は、冷蔵室４の左右の側板４Ｆ,４Ｒ（図３を参照）の内面に平行になっている。側面部１２，１３の前側には、補強部分１２Ｓ,１３Ｓが形成されている。補強部分１２Ｓ,１３Ｓが形成されていることで、プラスチック製の側面部１２，１３の強度の補強をしている。
【００１８】
チルドケース１０の背面部１４は、チルド照明７Ｔからの光とチルドダクト７Ｄからの冷気とを直接にチルドケース内に導入するための凹部１５を有している。この凹部１５は、チルドケース幅方向であるＸ方向に沿って形成されている。チルド照明７Ｔと、チルドダクト７Ｄとは、凹部１５によって前方Ｗ（図４を参照）側に露出している。これにより、図３に示すチルド照明７Ｔが発生する光は、背面部１４により遮られることがなく、チルド室７とチルドケース１０内を照明することができる。そして２つのチルドダクト７Ｄは、背面部１４により遮られることがなく、チルド室７内にチルド用の冷気をスムーズに送ることができる。
【００１９】
チルドケース１０の底面部１１の前端側には、使用者が手を掛けてチルドケース１０を前方Ｗに引き出すための取っ手１８が設けられている。この取っ手１８は、底面部１１の前端側の全幅方向（Ｘ方向）に渡って設けられても良いし、一部分に設けられていても良い。
【００２０】
図３に示すように、このチルドケース１０は、本体２の側板４Ｆ,４Ｒの内面側に設けられた支持部に支持されている。チルドケース１０は、チルド室７において、この支持部に沿って、Ｙ方向にスライドすることで出し入れ可能である。
【００２１】
（チルドケース１０の突起部２０の形状例）
図４に示すチルドケース１０の収納空間底側Ｖには、上端部が非平面である突起部２０が配列されている。
【００２２】
この実施形態では、チルドケース１０の底面部１１の内底面１９上に、薄板状で長方形の熱伝導性に優れた金属プレートとしてアルミプレート７０が着脱可能に配置されている。そしてアルミプレート７０の上面側に複数の突起部２０が配列されていることで、チルドケース１０の収納空間底側Ｖに複数の突起部２０が配列された構成にされている。
【００２３】
複数の突起部２０は、アルミプレート７０の上面側にほぼ全面に渡って密に配列されている。すなわち、複数の突起部２０がＸ方向とこのＸ方向に直交するＹ方向に沿ってマトリックス状に密接して配列されている。複数の突起部２０の配列は、内底面１９における凹凸形状あるいはディンプル形状とも呼ぶことができる。
【００２４】
図５に例示するように、各突起部２０は、Ｚ方向に向けて突き出している上端部２１を有する。図６で、（Ａ）は図４に示すＰ−Ｐ線における断面図であり、（Ｂ）はそれぞれの要部の部分拡大図である。各突起部２０は、冷気ＣＷが内底面１９に沿って通りやすいように、上端部２１が非平面である立体であり、突起部２０は、例えば四角錐状（あるいはピラミッド状）である。
【００２５】
図６に示すように、各突起部２０によって、チルドケース１０内に配置される貯蔵物Ｍとチルドケース１０の内底面１９上のアルミプレート７０との間に、冷気ＣＷを通す隙間ＳＰが形成される構造になっている。しかも、各突起部２０の上端部２１は、例えば尖っていて非平面であるので、上端部２１が貯蔵物Ｍの底面Ｂを、点接触で支持する。
【００２６】
（実施形態の作用と効果）
次に、実施形態の作用と効果を説明する。図２に示すチルド室７は、冷蔵室４の温度よりもやや低く、例えば−１℃から＋１℃の低温度帯に調整されている。図６に示す例では、チルドケース１０は、チルド室７内に配置されており、チルドケース１０内には、大小の貯蔵物Ｍが収納されている。各貯蔵物Ｍの底面Ｂは、内底面１９上のアルミプレート７０の複数の突起部２０の上に置かれている。
【００２７】
図３〜図６に示すように、複数のチルドダクト７Ｄから吹き込まれる冷気ＣＷは、背面部１４の凹部１５を通過して、チルドケース１０内に入り込む。入り込んだ冷気ＣＷは、チルドケース１０内において、貯蔵物Ｍの上面部と側面部に沿って、前方Ｗに向けて通過する。しかも、冷気ＣＷは、貯蔵物Ｍの底面Ｂとチルドケース１０の底面部１１上のアルミプレート７０との隙間ＳＰを通過する。冷気ＣＷによって、貯蔵物Ｍの上面と側面と底面部１１上のアルミプレート７０とを通り過ぎることで、貯蔵物Ｍがまんべんなく冷やされる。
【００２８】
このように、チルドケース１０の収納空間底側Ｖ（アルミプレート７０の上面側）には上端部が非平面である突起部２０が配列されている。従って、チルドケース１０内では、チルドケース１０内の貯蔵物Ｍの底面Ｂが突起部２０の上端部２１に当接して置かれるので、貯蔵物Ｍがアルミプレート７０に対してやや浮いた状態になり、貯蔵物Ｍの底面Ｂとアルミプレート７０との間に隙間ＳＰが形成される。
【００２９】
このため、この隙間ＳＰに冷気ＣＷをスムーズに通すことができ、チルドケース１０内の内底面１９側からも（すなわちアルミプレート７０側からも）各貯蔵物Ｍを冷却することができる。従って、各貯蔵物Ｍの冷却速度を従来に比べて遥かに速くして各貯蔵物Ｍをまんべんなく冷却することができる。しかも、チルドケース１０の内底面１９上のアルミプレート７０上に結露が発生しても、結露が貯蔵物Ｍに直接に接触することを十分に防止できる。
【００３０】
また、チルドケース１０内では、大きな貯蔵物Ｍが背面部１４寄りの後側の位置に置かれ、小さな貯蔵物Ｍが取っ手１８寄りの前側の位置に置かれることがある。この場合、冷気ＣＷは、後側の大きな貯蔵物Ｍとアルミプレート７０との隙間ＳＰを通過し、前側の小さな貯蔵物Ｍとのアルミプレート７０との隙間ＳＰを通過する。このため、大きな貯蔵物Ｍが後側に存在していても、前側の小さな貯蔵物Ｍを早い冷却速度で冷却することができる。
【００３１】
また、チルド照明７Ｔは、チルド室７のチルドケース１０内を照明している。収納空間底側Ｖの凹凸形状を形成している各突起部２０が密に配列されていることで（例えば図４参照）、正四角錐状のものが密に配列された模様が形成されている。この構成により、各突起部２０が、チルドケース１０の内底面１９上のアルミプレート７０においてチルド照明７Ｔの光を乱反射するので、チルドケース１０の全体が光って見えることから、チルドケース１０の全体がよりきれいに見える。
【００３２】
特に、チルドケース１０内に収納された貯蔵物Ｍの量が少ない場合に、チルドケース１０の内底面１９上のアルミプレート７０全体が光って見える。従って、透明あるいは半透明のチルドケース１０であっても、チルドケース１０の視認性が向上し、チルドケース１０とチルド室７の外観上の見栄えが良くなる。
【００３３】
（突起部２０の他の形状例）
次に、突起部２０の他の形状例を、図７と図８を参照して説明する。図７（Ａ）に示す突起部２０は、正三角錐状（ダイヤモンドの結晶構造状）である。図７（Ｂ）に示す突起部２０は、五角錐状である。図７（Ｃ）に示す突起部２０は、正六角錐状である。突起部２０は、これらに限らない多角錐状であってもよい。
【００３４】
図８（Ａ）に示す突起部２０は、円錐状である。図８（Ｂ）に示す突起部２０は、半球状である。なお、半球状に限らず、少なくとも上部が湾曲凸状にされた突起部であってもよい。
【００３５】
図５と図７（Ａ）〜（Ｃ）と図８（Ａ）、図８（Ｂ）とに示す突起部２０は、図４に例示するようにチルドケース１０内に配置される貯蔵物Ｍと、チルドケース１０の内底面１９上のアルミプレート７０との間に、隙間ＳＰを形成する。しかも、各突起部２０の上端部２１は、尖っていて非平面であり、上端部２１が貯蔵物Ｍの底面Ｂを点接触で支持する構成にされている。
【００３６】
図５と図７（Ａ）〜（Ｃ）と図８（Ａ）、（Ｂ）とに示す各突起部２０の形状の他に、突起部の形状としては、例えば別の種類の多角錐や楕円錐（低面が楕円状）であっても良い。各種の突起部２０は、図４に例示するように内底面１９のほぼ全面に渡って、Ｘ方向とＹ方向に沿ってマトリックス状になるように密に配列される。また、図示した各種の突起部２０は、２種類以上混ぜてマトリックス状に配列することもできる。
【００３７】
図９に示す突起部２０は、比較的短いリブ状の突出部である。このリブ状の突起部２０の場合には、突起部２０の配置方向は、好ましくは冷気ＣＷの流れる方向に平行である。各突起部２０の上端部２１は尾根状に尖っていて非平面であるので、上端部２１が貯蔵物の下面を、線接触で支持する。これにより、冷気ＣＷの流れは、突起部２０の存在により阻害されにくく、冷気ＣＷは、チルドケース内の貯蔵物をまんべんなく冷却できる。
【００３８】
図１０に示す突起部２０Ａは、比較的長い２本のリブ状の突出部である。このリブ状の突起部２０Ａは、冷気ＣＷの流れる方向に沿って背面部１４から延び出し、途中でそれぞれ側面部１２、１３側へ曲がって延びている。突起部２０Ａは、チルドケース内に配置される貯蔵物と、チルドケースの内底面上のアルミプレートとの間に、隙間を形成する。しかも、各突起部２０Ａの上端部２１Ａは、尾根状に尖っており、上端部２１Ａが貯蔵物の底面を線接触で支持することができる。
【００３９】
なお、突起部２０Ａの形状は、冷気ＣＷの流動方向や流量に応じて適宜に変更してもよい。
【００４０】
（比較例）
図１１は、比較例であるチルドケース１００を示す斜視図である。図１２は、図１１のＱ−Ｑ線における断面図である。図１１、図１２に示すように、比較例のチルドケース１００の底面部１１１の内底面１１９には、アルミプレート１７０が置かれている。このアルミプレート１７０は、平坦面であり、突起部は全く有していない。
【００４１】
図１２に示す貯蔵物Ｍの底面Ｂは、平坦面である内底面１１９上のアルミプレート１７０に面接触している。すなわち、貯蔵物Ｍの底面Ｂと、平坦面であるのアルミプレート１７０との間には、隙間が生じない。従って、冷気ＣＷは、貯蔵物Ｍの上面と側面に沿って通過するが、貯蔵物Ｍの底面Ｂとチルドケース１００の内底面１１９上のアルミプレート１７０との間を通過できない。このため、冷気ＣＷは、貯蔵物Ｍをまんべんなく素早く冷やすことができない。
【００４２】
また、上のアルミプレート１７０に結露が発生した場合には、チルドケース１００内の貯蔵物Ｍの底面Ｂとチルドケース１００内のアルミプレート１７０との間には、隙間が設けられていない。従って、結露が貯蔵物Ｍに直接に接触しており、貯蔵物Ｍが結露により濡れてしまう。
【００４３】
さらに、チルドケース１００内において、大きな貯蔵物Ｍが背面部１１４寄りの後側の位置に置かれ、小さな貯蔵物Ｍが取っ手１１８寄りの前側の位置に置かれることがある。この場合には、冷気ＣＷは、後側の大きな貯蔵物Ｍと内底面１１９上のアルミプレート１７０との間を通過できず、前側の小さな貯蔵物Ｍと内底面１９上のアルミプレート１７０との間も通ることができない。
【００４４】
この場合には、チルドケース１００内では、大きな貯蔵物Ｍの付近においては冷気ＣＷが対流し易くなる。このため、温度センサが対流した冷気ＣＷの温度を誤って検出してしまうことがある。従って、冷蔵室やチルド室の温度を正確に測定できなくなるおそれがある。
【００４５】
以上、実施形態を挙げて説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４６】
図１に示す冷蔵庫１の構造は、あくまで一例であり、任意の構造を採用することができる。アルミプレート７０上に複数の突起部２０が形成された例に代えて、複数の突起部２０がチルドケース１０の底面部１１上に直接に形成されていても良い。この場合、複数の突起部２０の成形を、チルドケース１０を成形するのと同時に行うことができる。また、突起部２０の配列を、チルドケース１０に限らず、ドアポケッット等にも適用することが可能である。
【００４７】
また、冷蔵庫１では、上部に冷凍室が配置され下部に冷蔵室が配置されているが、この他の構造例として、冷蔵庫の上部に冷蔵室が配置され、冷蔵庫の中間部にチルド室や野菜室等が配置され、冷蔵庫の下部に冷凍室が配置されるようにしても良い。
【符号の説明】
【００４８】
１      冷蔵庫
２      本体
３      冷凍室（貯蔵室）
４      冷蔵室（貯蔵室）
４Ｆ    側板
４Ｒ    側板
５      扉
６      扉
７      チルド室
７Ｄ    チルドダクト（ダクト）
７Ｔ    チルド照明（照明部）
８      棚板
９      野菜室
１０    チルドケース（収納容器）
１１    底面部
１２    側面部
１３    側面部
１２Ｓ  補強部分
１３Ｓ  補強部分
１４    背面部
１５    凹部
１８    取っ手
１９    内底面
２０    突起部
２０Ａ  突起部
２１    上端部
２１Ａ  上端部
７０    アルミプレート
１００  チルドケース
１１１  底面部
１１８  取っ手
１１９  内底面
１７０  アルミプレート
Ｂ      底面
ＣＷ    冷気
Ｍ      貯蔵物
ＳＰ    隙間
ＴＳ    温度センサ
Ｖ      収納空間底側
Ｗ      前方
【図１】
2019211155.tif 000003
【図２】
2019211155.tif 000004
【図３】
2019211155.tif 000005
【図４】
2019211155.tif 000006
【図５】
2019211155.tif 000007
【図６】
2019211155.tif 000008
【図７】
2019211155.tif 000009
【図８】
2019211155.tif 000010
【図９】
2019211155.tif 000011
【図１０】
2019211155.tif 000012
【図１１】
2019211155.tif 000013
【図１２】
2019211155.tif 000014